(57)【要約】【課題】胴周り部の感触が柔らかく、おむつ跡が付くことを防止できるなど使用感が良好であって、製造コストを削減できる使い捨て紙おむつおよび使い捨て紙おむつの製造方法を提供する。【解決手段】バックシート２０の前胴周り部２０ａおよび後胴周り部２０ｃに、糸ゴム２５が接着剤により固定されるパンツ型の使い捨て紙おむつ１００において、バックシート２０の胴周り部全体に接着剤を塗布することなく、糸ゴム２５の略全周囲に接着剤を塗布してバックシート２０に貼り付けることにより、バックシート２０と糸ゴム２５との固着部Ａにのみ接着剤Ｂが付着された紙おむつ１００を製造する。【選択図】図３
2004305772.tif 000002
【特許請求の範囲】
【請求項１】
胴周り部を形成するシート部材に弾性部材が接着剤により固定される使い捨て紙おむつにおいて、
前記シート部材の胴周り部には、前記弾性部材との固着部、固着部の近傍、または固着部から近傍にかけた部分、のいずれかに、接着剤が付着されていることを特徴とする使い捨て紙おむつ。
【請求項２】
前記弾性部材の略全周囲に接着剤が付着されていることを特徴とする請求項１に記載の使い捨て紙おむつ。
【請求項３】
胴周り部を形成するシート部材に弾性部材が接着剤により固定されている使い捨て紙おむつの製造方法において、
前記弾性部材に接着剤を塗布する第１の工程と、
次いで、接着剤が塗布された弾性部材を前記シート部材の胴周り部に固定する第２の工程と、
を有することを特徴とする使い捨て紙おむつの製造方法。
【請求項４】
前記第１の工程は、前記弾性部材の略全周囲に接着剤を塗布することを特徴とする請求項３に記載の使い捨て紙おむつの製造方法。
【発明の詳細な説明】
【技術分野】
【０００１】
本発明は、使い捨て紙おむつに関する。
【背景技術】
【０００２】
従来、使い捨て紙おむつ（以下、紙おむつと記載する）は、透液性のトップシートと、不透液性のバックシートと、これらの間に介装される吸収体とで構成される紙おむつ本体を備えて構成されている。このような紙おむつにおいて、トップシートやバックシートに適宜糸ゴム等の弾性部材を設けて紙おむつに伸縮性を持たせることにより、胴周りや脚周りなど、着用者の体形に合わせて紙おむつをフィットさせることができるようにしたものがある。
【０００３】
紙おむつに弾性部材を設ける際には、トップシートやバックシートを構成する不織布等の部材を二枚重ねにしたり、或いは折り返したりするとともに、それらの間に糸ゴム等を挟み込んでホットメルトなどの接着剤で固着させる方法が行われている。
特に紙おむつの胴周りの部分においては、使用中に紙おむつがずれたり、ずれ落ちたりすることなく、また一方で、着用者が紙おむつで締め付けられることがないようにするために、紙おむつの胴周りを形成する箇所に所定の間隔で多数の糸ゴムを設け、紙おむつの胴周り部分を、幅広く、緩やかに伸縮させるようにしたものが製造されている。
【発明の開示】
【発明が解決しようとする課題】
【０００４】
しかしながら、このような紙おむつでは、胴周りに多数の糸ゴムを設けるために、胴周り部分を構成する不織布等に幅広く接着剤を施し、糸ゴムを挟みこんで固着させるため、製造された紙おむつの胴周り部分は伸縮する一方、接着剤によって固くなってしまう。そのため、使用時の感触が悪くなったり、また着用者の胴周り部分におむつ跡がついてしまったりなど、使用感が低下することがあった。
また、幅広い部分に多数の弾性部材を固着させるために、大量に接着剤を使用するため、紙おむつの製造にもコストがかかっていた。
【０００５】
本発明の課題は、胴周り部の感触が柔らかく、おむつ跡が付くことを防止できるなど使用感が良好であって、製造コストを削減できる使い捨て紙おむつおよび使い捨て紙おむつの製造方法を提供することである。
【課題を解決するための手段】
【０００６】
以上の課題を解決するため、請求項１に記載の発明は、例えば、図１，２に示すように、胴周り部（前胴周り部２０ａ、後ろ胴周り部２０ｃ）を形成するシート部材（バックシート２０、ギャザー押えシート２７）に弾性部材（糸ゴム２５）が接着剤により固定される使い捨て紙おむつ（１００）において、前記シート部材の胴周り部には、前記弾性部材との固着部（Ａ）、固着部の近傍（Ｃ）、または固着部（Ａ）から近傍（Ｃ）にかけた部分、のいずれかに、接着剤（Ｂ）が付着されていることを特徴とする。
ここで、固着部、固着部の近傍、または固着部から近傍にかけた部分のいずれかに、接着剤が付着されているとは、前記シート部材の胴周り部全体ではなく、前記シート部材と前記弾性部材とが互いに固着される箇所に、断続的に接着剤が施されているということである。
【０００７】
請求項２に記載の発明は、請求項１に記載の使い捨て紙おむつにおいて、前記弾性部材の略全周囲に接着剤が付着されていることを特徴とする。
【０００８】
請求項３に記載の発明は、胴周り部を形成するシート部材に弾性部材が接着剤により固定されている使い捨て紙おむつの製造方法において、前記弾性部材の略全周囲に接着剤を塗布する第１の工程と、次いで、接着剤が塗布された弾性部材を前記シート部材の胴周り部に固定する第２の工程と、を有することを特徴とする。
【０００９】
請求項４に記載の発明は、前記第１の工程は、前記弾性部材の略全周囲に接着剤を塗布することを特徴とする請求項３に記載の使い捨て紙おむつの製造方法である。
【発明の効果】
【００１０】
請求項１に記載の発明によれば、シート部材の胴周り部には、接着剤が断続的に施されることにより、胴周り部全体に施される場合に比べて、シート部材が接着剤で硬くなることが低減される。従って、当該シート部材と弾性部材とを有して構成される紙おむつは、胴周り部分が柔らかく形成されるので、使用時着用者の胴周り部分の感触が良好となり、着用者の胴周り部分が紙おむつで擦られたり、おむつ跡が付いたりすることを防止でき、使用感の良い使い捨て紙おむつを形成できる。
また、接着剤をシート部材の胴周り部全体に施す場合よりも、接着剤の量を少なくできるので、紙おむつ製造においてコストを削減できる。
【００１１】
請求項２に記載の発明によれば、請求項１の発明の効果を奏することは無論のこと、弾性部材の略全周囲に接着剤が付着されるので、弾性部材の接着領域を最大限利用することができることとなって、弾性部材と胴周り部を形成するシート部材とを、十分な接着力で接着させることができる。
【００１２】
請求項３に記載の発明によれば、紙おむつの胴周り部を形成するシート部材に接着剤を塗布することなく、弾性部材に接着剤を塗布する第１の工程と、弾性部材をシート部材の胴周り部に固定する第２の工程とで、使い捨て紙おむつを製造するので、シート部材の胴周り部に接着剤を施す場合に比べて、胴周り部への接着剤の塗布面積を小さくできるので、胴周り部の感触が柔らかい、使用感のよい紙おむつを製造できる。
また、胴周り部全体に接着剤を施す場合よりも、接着剤の塗布面積を少なくできるとともに、シート部材に接着剤を塗布する工程を省略することも可能となるので、紙おむつの製造コストを削減できる。
【００１３】
請求項４に記載の発明によれば、弾性部材の略全周囲に接着剤を塗布することにより、弾性部材の接着領域を最大限利用することができることとなって、シート部材と弾性部材とを十分な接着力で固着させることができる。従って、胴周り部に対する接着剤の塗布面積を小さくして、弾性部材をシート部材に好適に固着させることができ、胴周り部の感触が柔らかい紙おむつを製造することができる。
【発明を実施するための最良の形態】
【００１４】
以下、図を参照して本発明の実施の形態を説明する。
図１は、本発明の一例としての、パンツ型の使い捨て紙おむつ１００（以下、紙おむつ１００と記載する）を示す斜視図であり、図２は、紙おむつ１００の両脇部分を切り離して展開した様子を示す平面図である。また図３は、図２の使い捨て紙おむつ１００のア−イ断面図である。
紙おむつ１００は、主に、トップシート１０と、シート部材としてのバックシート２０と、弾性部材としての糸ゴム２５と、吸収体３０と、ギャザーシート４０と、胴周り漏れ防止シート５０と、防水フィルム６０と、を備えて構成されている。
【００１５】
吸収体３０は、紙おむつ１００の使用時に、尿等の水様成分を吸収するもので、綿やパルプ等の吸収性素材や、繊維或いはフィルム等のシート状基材と高吸水性樹脂とを組み合わせて形成される吸収部３１と、吸収部３１を包含する吸収性不織布または紙等からなる包装部３２とで構成される。吸収体３０は、人体の前胴周りから脚の間を通り後胴周りに亘る位置に装着されるように、ある程度の幅と長さを有するように（例えば図２に示すような略長方形状に）形成される。
【００１６】
トップシート１０は、透液性不織布で、吸収体３０の表面側を覆う形状に形成される。
トップシート１０を形成する不織布の素材としてとしては、天然繊維、合成繊維、のいずれを用いてもよい。天然繊維の例としては、綿、セルロース（木材パルプ）、羊毛、絹等が挙げられる。また合成繊維としては、ポリプロピレン（PP）、ポリエチレン（PE）、ナイロン、ポリエステル（PET等）、アクリル等が挙げられ、またPE /PP混合繊維、PE /PET混合繊維など、上記素材を適宜組み合わせたバイコンポーネント繊維（混合繊維）も用いることができる。
【００１７】
トップシート１０の不織布を形成する素材の繊維は、1.0〜4.0d（デニール）のものが好ましい。
【００１８】
トップシート１０を形成する不織布には、綿以外の天然繊維、あるいは合成繊維のいずれを素材とする場合においても、綿を配合する。綿が配合された不織布は、綿が無配合の不織布に比べて柔らかく、感触のよい不織布を形成できるからである。
綿を配合する量としては、不織布を形成する他の素材の種類によっても異なるが、繊維性素材の全体に対して、綿が3.0重量％未満となるようにすると好ましい。3.0重量％以上であると、綿に吸収された体液等の水分が表面層に逆戻りし、着用者にじめじめした感覚を与える虞があるためである。
【００１９】
これらの繊維性素材から不織布を製造する方法としては、公知の方法を適宜用いることができ、例えば、ケミカルボンド、サーマルボンド、スパンレース等のいずれの方法を用いてもよく、また合成繊維等では、スパンボンド法、メルトブロー法、またこれらと上記の接着方法の組み合わせ等、いずれの方法を用いて製造してもよい。
【００２０】
トップシート１０を形成する不織布の目付けとしては、18〜30g/m2が好ましい。18g/m2以下であると、紙おむつ１００の使用者の動きによって不織布の耐久性が低下し、吸収性が低下することがあるからである。また、30g/m2以上であると、不織布製造における操業性の低下や、製造コストが嵩む等が考えられるためである。
【００２１】
また、トップシート１０を形成する不織布においては、尿等を吸収体３０側に浸透させるとともに、例えば尿等で濡れた際のべたつきを低減させるなどのため、親水性の素材には適切な程度に疎水加工や撥水加工等を施すか、或いは、疎水性素材の場合、部分的に親水化処理を施すなど、適宜加工を施すことが好ましい。このような加工は、上記の方法により繊維を絡合して形成した不織布に公知の加工方法を施して行うことができる。
【００２２】
さらに、トップシート１０を形成する不織布には、不織布表面から繊維の先端が毛羽立たないように加工して、表面を滑らかにする（以下、スムース加工、と記載する）。
スムース加工としては、本実施の形態では、不織布表面に圧力を加えることにより、不織布表面に毛羽立つ繊維を不織布表面にねかせるように押え付ける方法で行う。
不織布表面に圧力を加える方法としては、不織布をローラーの間に挟み込んで表裏両面から圧力を加える方法が挙げられる。例えば、二本のローラーの間に不織布を挟む、或いは不織布表面にローラーを転がす、または、板等の二つの面で不織布を挟む等により行うことができる。
このスムース加工により、不織布表面は毛羽立ちが押えられて滑らかとなり、摩擦抵抗が小さく、感触のよい不織布となる。
また、スムース加工の方法として、毛羽立った表面の繊維をカットして滑らかにする方法であってもよい。
【００２３】
トップシート１０の不織布の摩擦抵抗としては、摩擦係数の平均偏差（MMD値）において、MD（Machine Direction）は0.01〜0.50、CD（Cross Direction）は0.01〜0.70であることが望ましい。MMD値がこれらの値より大きいと、滑らかさが小さくなり、不織布と接触する皮膚等が擦られて、赤くなるなど、紙おむつ１００として使用される際の使用感が悪くなることがあるからである。
尚、スムース加工は、不織布に疎水加工等施した後の最終段階で実施してもよく、また繊維を絡合させた後、様々な加工を施す途中段階で行ってもよい。
【００２４】
防水フィルム６０は、PE等の樹脂により形成される。この防水フィルム６０は、製造時、樹脂原料に炭酸カルシウム等を添加することにより、シート内に空隙を形成させた多孔性フィルムであって、また疎水加工もしくは撥水加工が施され、通気性を有する防水フィルムとしての性能を果たすようになっている。
【００２５】
防水フィルム６０は、図３（ａ）の断面図で示すように、吸収体３０の裏面側を覆い、トップシート１０との間で吸収体３０を挟み込むように備えられる。また、防水フィルム６０の両側部は側方に延出しており、後述するように、当該両側部に沿ってギャザーシート４０が設けられるようになっている。
【００２６】
ギャザーシート４０は、トップシート１０と同様の繊維性素材を用いて、エアスルー方式で製造されたエアスルー不織布で形成される。本実施の形態で用いられるこのエアスルー不織布は、メルトブロー不織布に比べて繊維の目が粗く、繊維径も太く、柔らかい性質を有する。
エアスルー不織布は、融点の異なる複数種の繊維に熱風を吹き付けて一部の繊維を溶融させて絡合させることにより製造する。
尚、ギャザーシート４０を形成する不織布においては、疎水性または撥水性が高いほうが、尿等の漏れ防止に効果的である。従って、素材の繊維として疎水性または撥水性の高いものを用いるか、または不織布あるいは素材の繊維に疎水加工もしくは撥水加工を施すことが望ましい。
【００２７】
ギャザーシート４０は長く形成され、防水フィルム６０の両側部のそれぞれに沿って一つずつ、合計二つ備えられる。ギャザーシート４０は、防水フィルム６０の側部の表裏面に亘って、防水フィルム６０を挟み込むようにして、側部と貼り合わされ、トップシート１０側に張り出すように設けられる。
そしてギャザーシート４０のトップシート１０側に延出した側端部に沿って、糸ゴム４３…が備えられるとともに、図２に示すように、端部４０ａ…が折り返されて、トップシート１０上にそれぞれ固着される。
【００２８】
このような構成によって、吸収体３０の両側方からトップシート１０側に起立する、ギャザーシート４０と防水フィルム６０の側部とで構成された立体ギャザーが形成される。この、トップシート１０と、防水フィルム６０と、吸収体３０とで構成される部分を、吸収部３５とする。
【００２９】
バックシート２０は、不透液性不織布で形成される。この不透液性不織布は、ポリプロピレン（PP）、ポリエチレン（PE）、ナイロン、ポリエステル（PET等）、アクリル等や、またPE /PP混合繊維、PE /PET混合繊維など上記素材を適宜組み合わせたバイコンポーネント繊維（混合繊維）等を用いて、トップシート１０と同様の製法によって製造することができるが、不透液性とするため、疎水性または撥水性の高い素材で形成することが望ましく、また、不織布には疎水性または撥水性を高くする加工を施す。
【００３０】
バックシート２０は、紙おむつ１００の使用時、着用者の前胴周りから両脚の間を通り後胴周りに亘る位置を覆うように、前胴周り部２０ａと、股下部２０ｂと、後胴周り部２０ｃと、が形成されている。前胴周り部２０ａと後胴周り部２０ｃとを、併せて胴周り部とする。前胴周り部２０ａと後胴周り部２０ｃとは、股下部２０ｂよりも幅広く形成され、紙おむつ１００を形成する際には、前胴周り部２０ａの側端部と後胴周り部２０ｃの側端部が、それぞれ固着されて、パンツ型の形状を形成するようになっている。
【００３１】
バックシート２０において、使用時の人体側には、シート部材としてのギャザー押えシート２７が貼り合わされ備えられる。ギャザー押えシート２７は、バックシート２０と同様の繊維性素材を用いて、トップシート１０と同様の製法によって製造される不透液性不織布で形成される。
また、ギャザー押えシート２７と、バックシート２０との間において、前胴周り部２０ａと、後胴周り部２０ｃとの位置には、図２および図３（ａ）に示すように、使用時に着用者の胴周りに沿う方向に（胴周りと略平行方向に）、それぞれ複数本の糸ゴム２５が挟まれて固着されている。尚、図３（ａ）では、後胴周り部２０ｃとして示したが、糸ゴム２５と、バックシート２０、ギャザー押えシート２７との固定方法、および糸ゴム２５を取り付ける形状に関しては、前胴周り部２０ａも同様である。
【００３２】
ここで、糸ゴム２５を前胴周り部２０ａあるいは後胴周り部２０ｃに固着させる方法について説明する。
まず、糸ゴム２５の略全周に、ホットメルトなどの接着剤を塗布する（第１の工程）。その後、バックシート２０とギャザー押えシート２７とを形成する不織布に、接着剤が塗布された糸ゴム２５を貼り付けるようにして、固着させる（第２の工程）。
糸ゴム２５の略全周に接着剤を塗布する方法としては、図４（ａ）に示すように、Ｖ字型の溝を有する部材８１を用いて、溝の底部に接着剤を供給しながら糸ゴム２５を溝に通すコームガンによる塗布方法や、オメガ（Ω）形状のリング部材を用いて糸ゴム２５に接着剤を塗布するオメガ部材による塗布方法、また、図４（ｂ）に示すように、曲折する部材８３に糸ゴム２５を絡ませながら通過させ、接着剤を塗布するコントロールシームによる塗布方法等が挙げられる。
【００３３】
上記方法により、略全周に接着剤を塗布した糸ゴム２５を、バックシート２０とギャザー押えシート２７とに挟んで貼り付けることで、紙おむつ１００の前胴周り部２０ａおよび後ろ胴周り部２０ｃを形成する不織布には、糸ゴム２５の固着部、または固着部から近傍にかけた部分にのみ、接着剤が付着された構成となる。
固着部とは、バックシート２０とギャザー押えシート２７とに糸ゴム２５を接着させる箇所とし、図２および 図３（ｂ）においてＡで示す。尚、固着部Ａから近傍（Ｃで示す）にかけてとは、糸ゴム２５を固定する際に、接着剤Ｂが固着部Ａの周辺に広がる状態を意味している。接着剤Ｂが固着部Ａの周辺に広く分布すると、バックシート２０の胴周り部の柔らかさが損なわれるため、固着部Ａの近傍Ｃは狭いほど望ましい。
このように糸ゴム２５がバックシート２０の前胴周り部２０ａおよび後ろ胴周り部２０ｃを形成する不織布に備えられることにより、紙おむつ１００は、使用時に着用者の胴周りおよび腰周りで伸縮自在となるように形成される。
【００３４】
バックシート２０に張り合わされたギャザー押えシート２７上には、股下部２０ｂを中心として前胴周り部２０ａおよび後胴周り部２０ｃに延在するように、吸収部３５が備えられるようになっており、吸収部３５の裏面側（防水フィルム６０側）がギャザー押えシート２７に固着される。
また、バックシート２０とギャザー押えシート２７との間において、股下部２０ｂの両側部などの箇所には適宜糸ゴム２３…が備えられ、紙おむつ１００使用時に着用者にフィットさせることができるようになっている。
これらのトップシート１０と吸収体３０とを含む吸収部３５と、バックシート２０とで、おむつ本体が構成される。また、バックシート２０の前胴周り部２０ａと後胴周り部２０ｃとで形成される部分を、紙おむつ１００の胴周り部とする。
【００３５】
胴周り漏れ防止シート５０は、おむつ本体のトップシート１０側において、前胴周り部２０ａの端部２０ａａと後胴周り部２０ｃの端部２０ｃａそれぞれから、吸収体３０の端部３０ａ，３０ｂ上を覆う位置にかけて、合計二つ設けられる。胴周り漏れ防止シート５０は、図２および図３（ａ）に示すように、ギャザー押えシート２７上において、前胴周り部２０ａまたは後胴周り部２０ｃのそれぞれに固着されるとともに、吸収部３５の端部３０ａ，３０ｂ上を覆う箇所５０ａ，５０ｂは固着されずに自由端部とされ、吸収部３５の端部３０ａ，３０ｂ上にポケットを形成する。このような構成により、胴周り漏れ防止シート５０は、紙おむつ１００使用時に、尿等が、着用者の前胴周りおよび後胴周りの部分から漏れ出すことを防止するようになっている。
【００３６】
胴周り漏れ防止シート５０は、疎水性または撥水性の高い不織布を用いて形成される。この不透液性不織布は、バックシート２０と同様の繊維性素材を用いて、トップシート１０と同様の製法によって製造することができるが、スパンボンド法で製造されるPE /PPバイコンポーネントの不織布を用いると、柔らかい胴周り漏れ防止シート５０を形成できる。
また胴周り漏れ防止シート５０は、疎水性または撥水性の高い素材で形成することが望ましく、不織布に疎水性または撥水性を高くする加工を施すことが望ましい。
【００３７】
以上の本発明にかかる紙おむつ１００によれば、バックシート２０およびギャザー押えシート２７の前胴周り部２０ａおよび後胴周り部２０ｃには、糸ゴム２５を固定する箇所にのみ接着剤が付着されるので、接着剤が胴周り部に断続的に付着されることとなって、接着剤がこれらの胴周り部全体（２０ａ、２０ｃ）に施される場合に比べて、バックシート２０が接着剤で硬くなることが低減される。従って紙おむつ１００は、これらの胴周り部（２０ａ、２０ｃ）が柔らかく形成されるので、使用時着用者の胴周りにおける紙おむつ１００の感触が良好となる。従って、着用者の胴周り部分が紙おむつ１００で擦られたり、おむつ跡が付いたりすることを防止できるので、使用感の良い使い捨て紙おむつ１００を形成できる。
また、接着剤をバックシート２０の前胴周り部２０ａおよび後胴周り部２０ｃの全体に施す場合よりも、接着剤の量を少なくできるので、紙おむつ製造においてコストを削減できる。
さらに、糸ゴム２５の略全周囲に接着剤が付着されるので、糸ゴム２５とバックシート２０とを、より強固に接着させることができる。
【００３８】
加えて、バックシート２０およびギャザー押えシート２７の前胴周り部２０ａおよび２０ｃ全体に接着剤を塗布することなく、糸ゴム２５に接着剤を塗布する第１の工程と、糸ゴム２５をバックシート２０の胴周り部（前胴周り部２０ａおよび後胴周り部２０ｃ）に固定する第２の工程とで、紙おむつ１００を製造するので、バックシート２０の胴周り部全体に接着剤を施す場合に比べて、胴周り部（２０ａ、２０ｃ）への接着剤の塗布面積を小さくできる。従って、胴周り部（２０ａ、２０ｃ）の感触が柔らかい、使用感のよい紙おむつ１００を製造できる。
また、胴周り部全体に接着剤を施す場合よりも、接着剤の塗布面積を少なくできるとともに、接着剤を塗布する工程を省略することができるので、紙おむつ１００の製造コストを削減できる。さらに、接着剤の塗布量を少なくすることにより、接着剤がバックシート２０から染み出すなどの問題も低減され、紙おむつ１００製造において作業性が向上するので好ましい。
【００３９】
加えて、糸ゴム２５の略全周囲に接着剤を塗布することにより、バックシート２０と糸ゴム２５とをより強固な接着力で固着させることができる。従って、胴周り部に対する接着剤の塗布面積を小さくして、糸ゴム２５をバックシート２０に好適に固着させることができる。
【００４０】
また、本発明の変形例として紙おむつのバックシートの胴周り部の固着部Ａ、または固着部Ａの近傍Ｃ、または固着部Ａから近傍Ｃにかけての部分に接着剤Ｂを塗布し、糸ゴムを貼り付けて固定してもよい。このように糸ゴムを固定することにより、バックシートの胴周り部の固着部或いは該固着部及びその近傍にのみ接着剤が付着された、胴周りの感触の柔らかい紙おむつを形成できる。
【００４１】
尚、本発明は、上記実施の形態に限定されるものではない。
例えば、本実施の形態のような糸ゴムの固定方法を、前胴周り部あるいは後胴周り部のいずれか一方にのみ行ってもよい。
また、本発明の使い捨て紙おむつは、パンツ型の紙おむつの他、使用者の両脇で、前胴周り部と後胴周り部とを着脱させて使用するタイプの紙おむつに適用してもよく、また大人用、子供用のいずれに適用してもよい。
加えて、胴周り漏れ防止シートや、ギャザーシートを備えずに構成される紙おむつに、本発明を適用することも勿論可能である。さらに、吸収体の裏面側を覆う防水フィルムと、立体ギャザーを構成する防水フィルムとを別部材とする等も可能である。
また、ギャザー押えシート、胴周り漏れ防止シートを形成する不織布にも、トップシートと同様に、綿が配合された（好ましくは3.0％未満配合された）不織布で形成すると、感触が柔らかくなり好ましい。また、上記のようなスムース加工を施した（好ましくはMMD値において、MDが0.01〜0.50、CDが0.01〜0.70となるように加工された）不織布で製造すれば、感触が滑らかとなり、紙おむつの使用感が良好となる。
【図面の簡単な説明】
【００４２】
【図１】本発明を適用した使い捨て紙おむつの一例を示す斜視図である。
【図２】図１の使い捨て紙おむつを、両脇で切り開いて展開した様子を示す平面図である。
【図３】図２の使い捨て紙おむつのアーイにおける断面図（ａ）、バックシートと糸ゴムとの固着部を示す断面図（ｂ）である。
【図４】糸ゴムに接着剤を塗布する方法の例を示す斜視図であり、コームガンによる塗布方法（ａ）、コントロールシームによる塗布方法（ｂ）である。
【符号の説明】
【００４３】
２０    バックシート（シート部材）
２０ａ  前胴周り部（胴周り部）
２０ｃ  後胴周り部（胴周り部）
２７  ギャザー押えシート（シート部材）
２５    糸ゴム（弾性部材）
１００    紙おむつ（使い捨て紙おむつ）
Ａ    固着部
Ｂ    接着剤
【図１】
2004305772.tif 000003
【図２】
2004305772.tif 000004
【図３】
2004305772.tif 000005
【図４】
2004305772.tif 000006